(57)【特許請求の範囲】
【請求項１】
光学系を経て集光された入射光を光電変換し、得られた信号電荷を蓄積する感光領域内に２次元配列された感光セルと、
該感光セルに隣接して一列に並べ垂直方向に信号電荷を転送する複数の垂直転送素子と、
該垂直転送素子と直交する水平方向に該垂直転送素子からの信号電荷を保持し、水平方向に転送する第１の水平転送素子と、
該感光領域から部分的に信号電荷が抽出される抽出領域に含まれる垂直転送素子の位置からの信号電荷を保持し、水平方向に転送する少なくとも１個の第２の水平転送素子と、
該第１の水平転送素子からの信号電荷を廃棄する領域に含まれる垂直転送素子の位置に信号電荷を掃き出す掃出し手段と、
該第１の水平転送素子から該第２の水平転送素子および該掃出し手段に信号電荷を垂直転送する飛越し手段と、
該飛越し手段を介して供給される第２の水平転送素子からの信号電荷を出力するタイミング調整用駆動信号を生成する駆動信号生成手段と、
該駆動信号生成手段の制御を感光領域あるいは抽出領域からの信号電荷読出しか選択に応じて行なう制御手段とを有することを特徴とする固体撮像装置。
【請求項２】
請求項１に記載の装置において、前記第２の水平転送素子は、前記第１の水平転送素子の長さより短い長さを有することを特徴とする固体撮像装置。
【請求項３】
請求項２に記載の装置において、前記第２の水平転送素子は、前記第１の水平転送素子の長さの実質的に半分に等しい長さを有することを特徴とする固体撮像装置。
【請求項４】
光学系を経て集光された入射光を光電変換し、得られた信号電荷を蓄積する感光領域内に２次元配列された感光セルと、該感光セルに隣接して一列に並べ垂直方向に信号電荷を転送する複数の垂直転送素子と、該垂直転送素子と直交する水平方向に該垂直転送素子からの信号電荷を保持し、水平方向に転送する第１の水平転送素子と、該感光領域から部分的に信号電荷が抽出される抽出領域に含まれる垂直転送素子の位置からの信号電荷を保持し、水平方向に転送する少なくとも１個の第２の水平転送素子と、該第１の水平転送素子からの信号電荷を廃棄する領域に含まれる垂直転送素子の位置に信号電荷を掃き出す掃出し手段と、該第１の水平転送素子から該第２の水平転送素子および該掃出し手段に信号電荷を垂直転送する飛越し手段と、該飛越し手段を介して供給される第２の水平転送素子からの信号電荷を出力するタイミング調整用駆動信号を生成する駆動信号生成手段と、該駆動信号生成手段の制御を感光領域あるいは抽出領域からの信号電荷読出しか選択に応じて行なう制御手段とを有する固体撮像装置の駆動方法であって、該方法は、
該抽出領域から信号電荷を読み出す駆動信号の生成の制御を駆動信号生成手段に施す制御工程と、
該制御工程の後、該駆動信号生成手段の駆動によって感光セルからの信号電荷を該垂直転送素子に読み出す垂直読出し工程と、
該垂直読出し工程の後、該垂直転送素子から該第１の水平転送素子に信号電荷を転送する第１の垂直転送工程と、
該第１の垂直転送工程で供給された第１の水平転送素子の信号電荷を掃出し手段と第２の水平転送素子に転送する第２の垂直転送工程と、
該第２の垂直転送工程で得られた信号電荷を前記抽出領域の画像として第２の水平転送素子から読み出す水平読出し工程とを含むことを特徴とする固体撮像装置の駆動方法。
【請求項５】
請求項４に記載の方法において、
前記第２の垂直転送工程では、前記飛越し手段を介して感光領域の横幅より短い長さで区分した一方側の第１の水平転送素子から該第２の水平転送素子に信号電荷を転送し、
前記水平読出し工程では、他方側の第１の水平転送素子と該第２の水平転送素子とから同時に信号電荷を読み出すことを特徴とする固体撮像装置の駆動方法。
【発明の詳細な説明】
【０００１】
【発明の属する技術分野】
本発明は、入射光を光電変換する感光セルが平面内に２次元配列され、該感光セルで得られた信号電荷を蓄積し、該感光セルに隣接した垂直転送素子を介して該垂直転送素子と直交方向に配された水平転送素子に信号電荷を供給し該水平転送素子から信号電荷を取り出す固体撮像装置、およびその駆動方法に関し、特に、たとえば被写体の物理量として被写体の光量や被写体との距離等を画像処理により収集する固体撮像装置、およびそのような固体撮像装置の駆動方法に用いて好適なものである。
【０００２】
【従来の技術】
一般に、固体撮像装置は、入射光を介して被写体を撮像する撮像部（画素）とこの撮像部で得られる信号電荷を転送部に送って画像情報（２次元画像）を取り出す装置として用いられている。この固体撮像装置をたとえば電子カメラに用いると、固体撮像装置は被写体を撮像するが、この撮像にあたって被写体の測光や被写体とこの電子カメラとの間の距離等といった情報が必要になる。電子カメラは、これらの情報に基づいた撮影を最適な状況で行なえるように光学系を設定し撮影しなければならない。このために、固体撮像装置が撮影する２次元配列されたすべての撮像部、すなわち全画面の画像情報を取り出す必要に迫られる場合が生じる。しかしながら、画像情報の読出しに時間がかかり過ぎてしまうとき、電子カメラには固体撮像装置でなく外部に測光および測距用のセンサを設けて状況を満足させている。
【０００３】
また、電子カメラの部品点数を少なくするため、外部センサの代わりに固体撮像装置を用いる構成も検討されている。この場合、情報の読出しを短縮化するため、固体撮像装置は、垂直方向に対して画素を間引いて読み出し、水平方向に対して複数の転送レジスタを設けて高速読出しを行なっている。
【０００４】
たとえば、特公平7-34585 号公報には、従来のインターライン形CCD 固体撮像装置に少なくとも１個の水平転送CCD （すなわち合計２本の水平転送CCD ）を備えることによって、設けた複数の水平転送CCD に対する水平転送を同時に並行して行ない、水平ブランキング期間直後から抽出画像信号を得る装置構成及び装置の駆動方法が明示されている。また、特公平8-15319 号公報では、連続した２列以上の所定レジスタの転送電極下のチャネル領域に蓄積された信号電荷を所定レジスタ間のゲート電極に第１の電圧を印加しゲートを開き所定レジスタ間のチャネル領域の信号電荷を加算した後、所定レジスタ間のゲート電極に第２の電圧を印加しゲートを閉じ加算された信号電荷を所定レジスタの転送電極下のチャネル領域に分配することにより、複数画素セルの信号電荷の平均化と全感光領域のセルの信号電荷を短時間で読み出せる固体撮像装置の駆動方法が提案されている。
【０００５】
【発明が解決しようとする課題】
ところで、たとえば、電子カメラ装置は、この固体撮像装置から得られた出力信号に基づいて作成される画像が従来の銀塩カメラから得られる像と同程度の高画質になるよう撮像素子のより一層の高密度化、すなわち空間的な解像度の向上が図られつつある。このような撮像素子の高密度化に伴って全画像の読出し時間がかかるので、測光や測距の測定を要求される時間内に済ませることが前述した提案ではできなくなる虞れがでてくる。
【０００６】
ここで、640 ×480 の画素を有するNTSCフォーマットの電荷結合素子（以下、CCD (Charge-Coupled Device) という）を14MHz で駆動すると、全画素の読出し時間は約1/30sec になる。一方、1280×960 の画素を上述と同一条件で駆動すると、全画素の読出し時間は画素の増加に応じて約1/7.5 sec になる。したがって、この場合データの更新は1/7.5sec毎に行なわれる。たとえば、測光に4V、測距に4V、計8Vの情報が最低必要とされるとき、CCD の本撮像までには約1 sec の時間が要ることになるので、高解像度の固体撮像装置を測定装置として用いることは難しい。
【０００７】
本発明はこのような従来技術の欠点を解消し、高画質化を保ちながら、撮影に必要な光学系の情報を収集する際に、従来の画像情報の読出し時間より画像情報を短時間に読み出すことのできる固体撮像装置および固体撮像装置の駆動方法を提供することを目的とする。
【０００８】
【課題を解決するための手段】
本発明による固体撮像装置は、光学系を経て集光された入射光を光電変換し、得られた信号電荷を蓄積する感光領域内に２次元配列された感光セルと、これらの感光セルに隣接して一列に並べ垂直方向に信号電荷を転送する複数の垂直転送素子と、これらの垂直転送素子と直交する水平方向に垂直転送素子からの信号電荷を保持し、水平方向に転送する第１の水平転送素子と、この感光領域から部分的に信号電荷が抽出される抽出領域に含まれる垂直転送素子の位置からの信号電荷を保持し、水平方向に転送する少なくとも１個の第２の水平転送素子と、この第１の水平転送素子からの信号電荷を廃棄する領域に含まれる垂直転送素子の位置に信号電荷を掃き出す掃出し手段と、この第１の水平転送素子からこの第２の水平転送素子およびこの掃出し手段に信号電荷を垂直転送する飛越し手段と、この飛越し手段を介して供給される第２の水平転送素子からの信号電荷を出力するタイミング調整用駆動信号を生成する駆動信号生成手段と、この駆動信号生成手段の制御を感光領域あるいは抽出領域からの信号電荷読出しか選択に応じて行なう制御手段とを有することを特徴とする。
【０００９】
ここで、第２の水平転送素子は、第１の水平転送素子の長さより短く、たとえば半分に等しい長さを有することが望ましい。
【００１０】
固体撮像装置は、選択に応じた制御を制御手段によって駆動信号生成手段に施し、抽出領域からの信号電荷を読み出す場合、駆動信号生成手段により、感光セルから信号電荷を垂直転送素子を介して第１の水平転送素子に供給し、次に飛越し手段の動作によって第１の水平転送素子からの信号電荷を掃出し手段と第２の水平転送素子に垂直転送し、第２の水平転送素子から抽出領域の信号電荷を調整されたタイミングに基づいて出力することにより、通常、感光領域すべての信号電荷の出力には第１の水平転送素子から出力させ、また、抽出領域の信号電荷の出力には第２の水平転送素子から出力させ、感光領域からの信号電荷の読出し期間を完全に間引くことができるので、抽出領域からの信号電荷読出し時間を従来よりも短縮させることが可能になる。
【００１１】
また、本発明による固体撮像装置の駆動方法は、次のような特徴を有する。すなわちこの駆動方法は、上述した構成の固体撮像装置の駆動方法において、抽出領域から信号電荷を読み出す駆動信号の生成の制御を駆動信号生成手段に施す制御工程と、この制御工程の後、この駆動信号生成手段からの駆動信号によって感光セルからの信号電荷を垂直転送素子に読み出す垂直読出し工程と、この垂直読出し工程の後、この垂直転送素子からこの第１の水平転送素子に信号電荷を転送する第１の垂直転送工程と、この第１の垂直転送工程で供給された第１の水平転送素子の信号電荷を掃出し手段と第２の水平転送素子に転送する第２の垂直転送工程と、この第２の垂直転送工程で得られた信号電荷を全画像領域として第２の水平転送素子から読み出す水平読出し工程とを含むことを特徴とする。
【００１２】
ここで、第２の垂直転送工程では、飛越し手段を介して感光領域の横幅より短い、たとえば半分にした長さで区分した一方側の第１の水平転送素子から第２の水平転送素子に信号電荷を転送し、水平読出し工程では、他方側の第１の水平転送素子と第２の水平転送素子とから同時に信号電荷を読み出すことが望ましい。
【００１３】
固体撮像装置の駆動方法は、制御工程で制御の施された駆動信号生成手段からの駆動信号によって垂直読出し工程では感光セルからの信号電荷を垂直転送素子に読み出し、次に第１の垂直転送工程で第１の水平転送素子に信号電荷を転送し、第２の垂直転送工程では第１の水平転送素子から信号電荷を掃出し手段と第２の水平転送素子に転送し、水平読出し工程で第２の水平転送素子から全画像領域として読み出すことにより、感光領域からの信号電荷の読出し期間を完全に間引くことができるので、抽出領域からの信号電荷読出しを従来より短時間に行なうことができる。特に、たとえば、第２の垂直転送工程で飛越し手段を介して感光領域の横幅を半分にした長さで区分した一方側の第１の水平転送素子から第２の水平転送素子に信号電荷の転送を行ない、水平読出し工程で他方側の第１の水平転送素子と第２の水平転送素子とから同時に信号電荷を読み出すことにより、全画素読出しを従来の読出し時間の半分で行なうことができる。
【００１４】
【発明の実施の形態】
次に添付図面を参照して本発明による固体撮像装置および固体撮像装置の駆動方法の一実施例を詳細に説明する。
【００１５】
本実施例は、固体撮像装置の構成および動作について図１〜図６を参照しながら説明する。固体撮像装置は、たとえば電子スチルカメラ、ムービカメラ等に適用される、光学系を介して入射光によって結像される被写体の像を光電変換して電気信号からなる画像情報として取り込む画像入力装置である。
【００１６】
図１は固体撮像装置10の概略的な構成を示している。この固体撮像装置10は、制御部11、駆動信号生成部12、および電荷結合素子（以下、CCD という）部13を有している。
【００１７】
制御部11は、感光領域PAあるいは抽出領域SA、いずれの領域からの信号電荷読出しかの選択に応じて行なう。感光領域PAすべてから信号電荷を読み出す場合、制御部11は通常の撮像モードで駆動信号の生成が行なわれるように駆動信号生成部12を制御する。また、抽出領域SAから信号電荷を読み出す場合、制御部11は被写体の物理量を測定する測定モードで駆動信号の生成が行なわれるように駆動信号生成部12を制御する。測定としてはたとえば自動露出（AE: Automatic Exposure）や自動フォーカス（AF: Automiatic Focussing）等の自動調整を行なうためデータ収集が行なわれる。
【００１８】
駆動信号生成部12は、制御部11からの制御信号に対応した駆動信号を生成する。駆動信号は各モードに対応したタイミング調整を行なうようにCCD 部13の各部に供給されている。特に、後述する水平転送CCD 133 からの信号電荷読出し開始は水平ブランキング終了直後から行なわれるように駆動信号がCCD 部13に供給されている。
【００１９】
CCD 部13は、(i,j) 個の感光セル130 、j 個の垂直転送CCD 131 、水平転送CCD 132, 133、飛越しゲート134 、掃出しドレイン135 を有している。
【００２０】
ここで、CCD 部13において(i,j) 個の感光セル130 がすべて配された領域を感光領域PAとする。また、この感光領域PAの一部分だけから信号電荷を取り出すとき、この領域を抽出領域SAとしている。感光領域PA内の感光セル130 は、受光した光量を信号電荷に光電変換し垂直転送CCD 131 に供給する、いわゆる画素に対応している。一例として図１に示すように感光領域PAの画素が、1280×960 画素、抽出領域SAの画素が、640 ×960 画素を有する領域を占めている。垂直転送CCD 131 は、駆動信号生成部12から供給される駆動信号に応じて保持している信号電荷を水平転送CCD 132 に転送する。水平転送CCD 132 は、垂直転送CCD 131 と直交する方向で、たとえば図１では感光領域PAの下側に配されている。
【００２１】
水平転送CCD 132 は、駆動信号生成部12の駆動信号により垂直転送CCD 131 からの信号電荷を一時的に保持し、水平方向に転送させるとき、感光領域PAすべての画素から信号電荷が情報として読み出される。信号電荷の読出しタイミングは図２(a) の駆動信号に従う。
【００２２】
一方、抽出領域SAからの信号電荷を読み出す場合、抽出領域SAに含まれる垂直転送CCD の位置からの信号電荷を保持し、この領域からの信号電荷を水平方向に転送するため、水平転送CCD 133 は抽出領域SAの一行分640 画素をカバーする長さになっている。そして、水平転送CCD 132 と同じ長さの飛越しゲート134 が水平転送CCD 132, 133との間に配されている。駆動信号により飛越しゲート134 をオンにすると、水平転送CCD 132 から水平転送CCD 133 に信号電荷が転送させられる。ところで、この場合、抽出領域SA以外の感光領域PAから供給される信号電荷は不要であるから、水平転送CCD 133 以外のこの部分には掃出しドレイン135 が配される。
【００２３】
水平転送CCD 133 、飛越しゲート134 および掃出しドレイン135 は駆動信号生成部12から供給される駆動信号に応じて動作させる。これにより、水平転送CCD 133 は抽出領域SAだけからの信号電荷を出力することができる。固体撮像装置10は、たとえば図１に示した構成の場合、画面中央の抽出領域SAから信号電荷を読み出すとき、図２(b) に示す駆動信号で信号電荷の読出しが行なわれる。これにより、感光領域PAからの信号電荷の読出し期間を完全に間引くので、図２(a) や図２(c) の読出し駆動信号（特公平7-34585 号公報の参照）を用いた場合に比べて図２(b) の駆動信号では抽出領域SAからの信号電荷読出しを従来より短時間に行なうことができる。この場合、抽出領域SAからの信号電荷読出し時間は、通常の感光領域PAすべてから信号電荷を読み出す場合の所要時間に比較して半分にすることができる。また、特公平8-15319 号公報では、画素データの平均処理を行なうことから、映像信号の高周波成分を検出して最大にする、ビデオカメラの方法によるAFには利用できない。
【００２４】
次に図３に示すフローチャートおよび図４の模式図を用いて固体撮像装置10の概略的な動作を説明する。まず、ステップS10 では、図４(a) に示したように感光セル130 に露光してステップS11 に進む。この露光によって感光セル130 には光電変換により信号電荷の蓄積が行なわれる。
【００２５】
ステップS11 では各種のモードの中から光学系を介して被写体の物理量を測定する測定モードが選択されたとき、制御部11が抽出領域SAから信号電荷を読み出す駆動信号の生成の制御を駆動信号生成部12に施してステップS12 に進む（制御工程）。
【００２６】
ステップS12 では、図４(b) に示したように駆動信号生成部12の駆動によって感光セル130 からの信号電荷を隣接する垂直転送CCD 131 に読み出してステップS13 に進む（垂直読出し工程）。
【００２７】
ステップS13 では、図４(c) に示したように垂直転送CCD 131 から水平転送CCD 132 に信号電荷を転送する（第１の垂直転送工程）。この転送は駆動信号生成部12から供給される駆動信号に応じて行なわれる。この転送の後、ステップS14 に進む。
【００２８】
ステップS14 では、飛越しゲート134 をオンにすると、供給された水平転送CCD 131 の信号電荷を掃出しドレイン135 と水平転送CCD 133 に同時に転送してステップS15 に進む（第２の垂直転送工程として図４(d) を参照）。
【００２９】
ステップS15 では、得られた信号電荷を水平転送CCD 133 から読み出す（水平読出し工程）。これにより、図４(e) に示したように水平転送CCD 133 は中央部、すなわち抽出領域SAから2 画素のデータを出力する。出力は図２(b) の駆動信号に従う。
【００３０】
次にステップS16 では抽出領域SAからの信号電荷の読出しが終了しているかどうか判定する。抽出領域SAからの信号電荷の読出しがまだ終了していないならば(No)、ステップS13 に戻って以降の処理を続ける。また、抽出領域SAからの信号電荷読出しが終了しているならば(Yes )、たとえば、図４に示した抽出領域SAをの１画面分とする信号電荷読出しを終了する。全16画素を含む感光領域PA中の半分となる８画素の抽出領域SAだけを切り出す駆動を行なうことにより、水平転送を1/2 に間引くことができ、通常の感光領域PAからの信号電荷読出しに比べて半分の読出し時間で済すことができる。
【００３１】
具体的に、たとえば、測光(AE)と測距(AF)をそれぞれ4V、計8Vで行なう場合、信号電荷の読出し時間を0.5 sec に短縮でき、垂直方向の読出しを1/2 間引きすると、0.25 secにできる。
【００３２】
また、本発明の固体撮像装置の他の実施例について図５および図６のフローチャートを参照しながら簡単に説明する。この実施例における固体撮像装置10の基本構成は、前述した装置と同じ構成であるが、図５に示した模式的なCCD 部13には飛越しゲート134 と水平転送CCD 133 を右側半分の領域下だけに配している点と駆動信号生成部12に特徴がある。
【００３３】
駆動信号生成部12は、信号電荷を感光領域PAの感光セル130 から垂直転送CCD 131 への読出し、信号電荷を垂直転送CCD 131 から水平転送CCD 132 への転送、および信号電荷を水平転送CCD 132 の左側半分の領域から水平転送CCD 133 への転送させるため飛越しゲート134 をオンにする等の各種駆動信号を生成する。
【００３４】
この固体撮像装置10の動作は次のようになる。まず、ステップS20 では、図４(a) と同様に感光セル130 に露光してステップS21 に進む。この露光によって感光セル130 には光電変換により信号電荷の蓄積が行なわれる。
【００３５】
ステップS21 では各種のモードの中から光学系を介して被写体の物理量を測定する測定モードが選択されたとき、制御部11が信号電荷を読み出す駆動信号の生成の制御を駆動信号生成部12に施してステップS22 に進む。また、制御部11は信号処理部（図示せず）も制御している。
【００３６】
ステップS22 では、駆動信号生成部12の駆動によって感光領域PAの感光セル130 から信号電荷を垂直転送CCD 131 に読み出してステップS23 に進む。
【００３７】
ステップS23 では、駆動信号生成部12で生成された垂直転送駆動信号に応じて垂直転送CCD 131 から水平転送CCD 132 に一時的に保持した信号電荷が転送される。この転送の後、ステップS24 に進む。
【００３８】
ステップS24 では、駆動信号生成部12で生成された駆動信号により水平転送CCD 132 の左側半分の領域に転送された信号電荷を一時的に保持するとともに、飛越しゲート134 をオンにする。飛越しゲート134 のオンによって、水平転送CCD 132 の右側半分の領域に保持されていた信号電荷が水平転送CCD 133 に転送される。この転送後ステップS25 に進む。
【００３９】
ステップS25 では、駆動信号生成部12で生成された駆動信号により水平転送CCD 132 の左半分と水平転送CCD 133 から同時に信号電荷が出力される。水平転送CCD 132 は感光領域PAの左側半分から4 画素のデータを出力し、水平転送CCD 133 は感光領域PAの右側半分から4 画素のデータを出力する。
【００４０】
次にステップS26 では、感光領域PAからの信号電荷の読出しが終了しているか判定する。感光領域PAからの信号電荷の読出しがまだ終了していないならば、ステップS23 に戻って以降の処理を続ける。また、抽出領域PAからの信号電荷読出しが終了しているならば、たとえば、図５の感光領域PAの1 画面分の読出しを終了する。
【００４１】
このような固体撮像装置10の駆動を上述したような手順で行なうと、CCD 部13は、1 ラインの読出しを半分の時間で済ませることが可能になる。したがって、画面を順次走査させると通常の読出し速度に比較して倍速で全画素の読出しが可能になる。この場合、後段に配される信号処理部（図示せず）では、供給される２つの水平転送CCD 132, 133からの信号電荷を選択的に取り込むことが要求される。この信号の取込み処理により、画面全体のデータを得ることができる。このようなデータ収集は、特に測光(AE)に用いて効果的である。
【００４２】
このように構成することにより、従来の固体撮像装置が有する画素よりも多く、高品質な画像が得られる固体撮像装置を用いても撮影に関する物理情報を短時間に得ることが可能になるので、固体撮像装置を適用する装置構成の簡略化と高画質とを両立させることができる。
【００４３】
本実施例の固体撮像装置からの情報読出しをより一層高速にするため、垂直方向の間引きや水平レジスタを多線構造にすることが好ましい。
【００４４】
なお、本発明は、前述した実施例に限定されるものでなく、本発明の概念を含んだ装置等に適用できることは言うまでもない。また、上述の実施例では、２本の水平転送素子の長さの関係が、測距または測光用の水平転送素子が実撮像用の水平転送素子の1/2 に等しくなるように、構成されていた。しかし、本発明は必ずしもこれのみに限定されず、測距または測光用の水平転送素子の長さが実撮像用のそれより短ければ、その短い分に相当して測距または測光用の画素データの切出し時間が短縮され、したがって、画素データの読出し時間の短縮という課題が達成される。
【００４５】
【発明の効果】
このように本発明の固体撮像装置によれば、選択に応じた制御に応じて通常、感光領域すべての信号電荷の出力には第１の水平転送素子から出力させ、抽出領域の信号電荷の出力には第２の水平転送素子から出力させることにより、従来の固体撮像装置が有する画素よりも多く、高品質な画像が得られる固体撮像装置を用いても撮影に関する物理情報を短時間に得ることが可能になるので、固体撮像装置を適用する装置構成の簡略化と高画質とを両立させることができる。
【００４６】
また、本発明の固体撮像装置の駆動方法によれば、制御工程で制御の施された駆動信号生成手段からの駆動信号に応じて駆動させ、最終工程である水平読出し工程で第２の水平転送素子から抽出領域からの信号電荷を短時間に読み出すことが可能になることにより、固体撮像装置を適用する装置構成の簡略化と高画質とを両立させることができる。特に、たとえば、第２の垂直転送工程で飛越し手段を介して感光領域の横幅を半分にした長さで区分した一方側の第１の水平転送素子から第２の水平転送素子に信号電荷の転送を行ない、水平読出し工程で他方側の第１の水平転送素子と第２の水平転送素子とから同時に信号電荷を読み出すことにより、全画素読出しを従来の読出し時間の半分で行なえるので、全画面を使用する測光(AE)に用いることができる。
【図面の簡単な説明】
【図１】本発明に係る固体撮像装置の一実施例の構成を示すブロック図である。
【図２】図１に示した固体撮像装置の動作を説明するタイミングチャートである。
【図３】図１に示した固体撮像装置の動作を説明するフローチャートである。
【図４】図１に示した固体撮像装置の動作を説明するCCD 部の模式図である。
【図５】本発明に係る固体撮像装置の他の実施例として示すCCD 部の模式的な構成のブロック図である。
【図６】図５に示した固体撮像装置の動作を説明するフローチャートである。
【符号の説明】
10  固体撮像装置
11  制御部
12  駆動信号生成部
13  電荷結合素子（CCD ）部
【図１】
0004552006.tif 000002
【図２】
0004552006.tif 000003
【図５】
0004552006.tif 000004
【図３】
0004552006.tif 000005
【図４】
0004552006.tif 000006
【図６】
0004552006.tif 000007